【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
上下に面を有する第１平坦要素と、
上下に面を有する第２平坦要素と、
前記第１平坦要素の下面と前記第２平坦要素の上面との間に、メモリ・メディア・カードを受けることができるポートが形成されるように、前記第１平面と前記第２平面との間に配置されたスペーサと、
前記ポート内に配置されるように、前記第１平坦要素の前記下面又は前記第２平坦要素の前記上面から突出し、１セットのメモリ・メディア・カード・コンタクトと接触することができる、少なくとも１セットのコンタクト・ピンと、
を備えるマルチメモリ・メディア・アダプタ。
【請求項２】
前記第１平坦要素と前記第２平坦要素が、成型プラスチックから形成される請求項１に記載のマルチメモリ・メディア・アダプタ。
【請求項３】
前記第２平坦要素と前記第３平坦要素が、単一のＰＣＢを備える請求項１に記載のマルチメモリ・メディア・アダプタ。
【請求項４】
前記ポートが、複数の位置決めを含み、各位置決めが、メモリ・メディア・カード・タイプに対応する請求項２に記載のマルチメモリ・メディア・アダプタ。
【請求項５】
前記メモリ・メディア・カード・タイプが、スマートメディア・カード、マルチメディアカード、セキュア・デジタル・カード、メモリ・スティック、類似のフォーム・ファクタを有するフラッシュ・メディアからなる群から選択される請求項４に記載のマルチメモリ・メディア・アダプタ。
【請求項６】
前記標準システム・コネクタが、ＰＣＭＣＩＡコネクタ、ＩＤＥ、コンパクトフラッシュ・コネクタからなる群から選択される請求項１に記載のマルチメモリ・メディア・アダプタ。
【請求項７】
前記コンタクト・ピンが、前記成型プラスチック内に統合される請求項２に記載のマルチメモリ・メディア・アダプタ。
【請求項８】
前記コンタクト・ピンの弾性が維持されるように、前記コンタクト・ピンが形成される請求項１に記載のマルチメモリ・メディア・アダプタ。
【請求項９】
前記コンタクト・ピンの末端が、前記メモリ・メディア・カード・コンタクトから押し出され、それにより、前記コンタクト・ピンが、前記メモリ・メディア・カードからの取外し中に損傷されることを防止するように作用するように、前記コンタクト・ピンが形成される請求項１に記載のマルチメモリ・メディア・アダプタ。
【請求項１０】
前記第１平坦要素の前記下面から突出する第１セットの９つのコンタクト・ピンと、前記第１平坦要素の前記下面から突出する第２セットの１０のコンタクト・ピンと、前記第２平坦要素の前記上面から突出する第３セットの１１のコンタクト・ピンと、前記第２平坦要素の前記上面から突出する第４セットの１１のコンタクト・ピンとを有する請求項１に記載のマルチメモリ・メディア・アダプタ。
【請求項１１】
スマートメディア・カード、マルチメディアカード、セキュア・デジタル・カード、メモリ・スティックに対応するように構成される２１のコンタクト・ピンを有する請求項１に記載のマルチメモリ・メディア・アダプタ。
【請求項１２】
制御装置ピンが、前記スマートメディア・カード、マルチメディアカード、セキュア・デジタル・カード、メモリ・スティックのそれぞれについてピン構成を区別するために使用される請求項１１に記載のマルチメモリ・メディア・アダプタ。
【請求項１３】
前記第３平坦要素の上に配置される信号ランプからの光が、前記ポートを経て送られるように、光パイプが、前記第１平坦要素と前記第２平坦要素との間でロックされる請求項７に記載のマルチメモリ・メディア・アダプタ。
【請求項１４】
少くとも１組のコンタクト・ピンと電気的に接続した標準的コネクタを更に有する請求項１記載のマルチメモリ・メディア・アダプタ。
【請求項１５】
複数のメモリ・メディアのそれぞれからデータを読み取ることができるマルチメモリ・メディア・アダプタであって、ポートがマルチメモリ・メディア・アダプタの上側部分と下側部分との間に形成されるように、マルチメモリ・メディア・アダプタが形成され、前記ポートが、メモリ・メディア・カードを受けることができ、マルチメモリ・メディア・アダプタが、前記上側部分又は前記下側部分から突出する少なくとも１セットのコンタクト・ピンを有し、前記少なくとも１セットのコンタクト・ピンが、１セットのメモリ・メディア・カード・コンタクトと接触することができる、マルチメモリ・メディア・アダプタと、
データをデジタル処理装置に送り、前記下側部分に隣接する前記マルチメモリ・メディア・アダプタの隣接部分の上に面取り付けされ、前記少なくとも１セットのコンタクト・ピンに電気的に接続されるコネクタとを備えるマルチメディア・アダプタ装置。
【請求項１６】
前記マルチメモリ・メディア・アダプタが成型材料から形成される請求項１５に記載の装置。
【請求項１７】
前記ポートが複数の位置決めを含み、各位置決めがメモリ・メディア・カード・タイプに対応する請求項１５に記載の装置。
【請求項１８】
前記メモリ・メディア・カード・タイプが、スマートメディア・カード、マルチメディアカード、セキュア・デジタル・カード、メモリ・スティック、類似のフォーム・ファクタを有するフラッシュ・メディアからなる群から選択される請求項１７に記載のマルチメモリ・メディア・アダプタ。
【請求項１９】
成型プラスチックから形成される第１要素と、
成型プラスチックから形成され、かつ、ポートが前記第１要素との間に形成されるように前記第１要素に結合され、前記ポートがメモリ・メディア・カードを受けることができる第２要素と、
前記ポート内に配置されるように、前記第１要素又は前記第２要素から突出し、前記少なくとも１セットのコンタクト・ピンが、１セットのメモリ・メディア・カード・コンタクトと接触することができる、少なくとも１セットのコンタクト・ピンと、
とを備えるアダプタ装置。
【請求項２０】
前記ポートが、複数の位置決めを含み、各位置決めが、スマートメディア・カード、マルチメディアカード、セキュア・デジタル・カード、メモリ・スティック、類似のフォーム・ファクタを有するフラッシュ・メディアからなる群から選択されるメモリ・メディア・カード・タイプに対応する請求項１９に記載の装置。
【請求項２１】
前記セットのコンタクト・ピンが、２１のコンタクト・ピンを備え、前記２１のコンタクト・ピンが、前記成型プラスチック内に統合され、かつスマートメディア・カード、マルチメディアカード、セキュア・デジタル・カード、とメモリ・スティックに対応するように構成される請求項２０に記載の装置。
【請求項２２】
少くとも１組のコンタクト・ピンと電気的に接続した標準的コネクタを更に有する請求項１９記載のマルチメモリ・メディア・アダプタ。
【請求項２３】
複数の各メモリ・メディアからデータを読み取ることの可能なマルチ・メモリ・メディア・アダプタと；
上側部又は下側部から突出し、１セットのメモリ・メディア・カード・コンタクトと接触可能な少くとも１セットのコンタクト・ピンと；
マルチメモリ・メディア・アダプタ内に埋込まれたコントローラ・チップと；
から構成され、
上記マルチメモリ・メディア・アダプタは、少くとも１つのポートがこのアダプタの上側部分と下側部分との間に形成されるように単一の成型プラスチックで形成され、上記ポートはメモリ・メディア・カードを受けることが出来、このポートはメモリ・メディア・カード・タイプに対応する複数の受入れ部を有し；更に前記コンタクト・ピンは成型プラスチック内に統合されており；且つ上記コントローラ・チップは、挿入されたメモリ・メデイアのタイプに応じて、複数のメモリ・メディアのためにピン構造を変形させるように動作することを特徴とするマルチメモリ・メディア・アダプタ装置。